(57)【要約】【課題】  強度を高めたカメラモジュールを提供する。【解決手段】  カメラモジュール１は、レンズ６を保持するレンズホルダ５と、レンズホルダ５を光軸方向に移動可能に保持するホルダ４と、レンズホルダ５とホルダ４との間に介在してレンズホルダ５を光軸方向に移動可能とする回転部材８と、レンズホルダ５を回転部材８に押圧する付勢部材９とを有している。また、ホルダ４は弾性変形可能な柱部４０４と、柱部４０４に設けられてレンズホルダ５との間に付勢部材９を挟持固定する爪部４０６とを有するとともに、レンズ６への光路を開閉する被取付部材としてのシャッタ装置３０が取り付けられている。また、シャッタ装置３０には、柱部４０４に当接して柱部４０４の変形を防止するためのリブ２０が設けられている。【選択図】        図１
2005195903.tif 000002
【特許請求の範囲】
【請求項１】
レンズを保持するレンズホルダと、
前記レンズホルダを光軸方向に移動可能に保持するホルダと、
前記レンズホルダと前記ホルダとの間に介在して前記レンズホルダを光軸方向に移動可能とするレンズ位置変更部材と、
前記レンズホルダを前記レンズ位置変更部材に押圧する付勢部材とを有し、
前記ホルダは、弾性変形可能な柱部と、前記柱部に設けられて前記レンズホルダとの間に前記付勢部材を挟持固定する爪部とを有するとともに、前記レンズへの光路を開閉するシャッタ等の被取付部材が取り付けられており、
前記被取付部材には、前記柱部に当接して前記柱部の変形を防止する補強部が設けられていることを特徴とするカメラモジュール。
【請求項２】
前記被取付部材を前記ホルダに固定するための取付部が、前記補強部を兼ねていることを特徴とする請求項１記載のカメラモジュール。
【請求項３】
カメラモジュールを本体部に搭載した携帯端末であって、
前記カメラモジュールは、レンズを保持するレンズホルダと、前記レンズホルダを光軸方向に移動可能に保持するホルダと、前記レンズホルダと前記ホルダとの間に介在して前記レンズホルダを光軸方向に移動可能とするレンズ位置変更部材と、前記レンズホルダをレンズ位置変更部材に押圧する付勢部材とを有し、
前記本体部には、前記柱部に当接して前記柱部の変形を防止する補強部が設けられていることを特徴とする携帯端末。
【発明の詳細な説明】
【技術分野】
【０００１】
本発明は、撮像素子を用いて画像を撮影するカメラモジュールに関し、特に、通常撮影機能の他にマクロ（接写）機能を備えたカメラモジュール及びこのカメラモジュールを備えた携帯端末に関する。
【背景技術】
【０００２】
従来より、モータ等の駆動力によってレンズホルダに保持したレンズの位置を移動させ、焦点距離を変更してフォーカシングやズーミングを行う機能が知られている。
【０００３】
レンズホルダを光軸方向に移動させる機構の一例が特許文献１に開示されている。特許文献１では、図１５に示されるようにレンズ１００１、１００２を保持するレンズ枠１０００の外周面上には雄ネジ部１００３が形成され、レンズホルダ１００４には保持孔１００５が形成され、その内周面上に雌ねじ部１００６が形成されている。レンズ枠１０００はレンズホルダ１００４に形成された保持孔１００５に螺合している。レンズホルダ１００４に対してレンズ枠１０００を光軸方向に移動させる時には、レンズ枠１０００をレンズホルダ１００４に対して回転させることで、レンズを光軸方向に進退させる。
【０００４】
【特許文献１】特開平９−２１９３８号公報
【発明の開示】
【発明が解決しようとする課題】
【０００５】
しかしながら、レンズを保持したレンズ枠を光軸周りに回転させ、レンズホルダに対してレンズ枠を進退させると、レンズの回転中心と光軸とが一致していないことがありレンズを回転させることによりレンズの中心位置にずれが生じることになる。
【０００６】
デジタルカメラやビデオカメラなどに使用されるカメラであれば、レンズ及び撮像面が大きいため撮像される画像への影響は少ないが、携帯電話などに収納する小型カメラでは、レンズ及び撮像面が小型化されるためそれだけ画像への影響が大きい。
【０００７】
また、カメラモジュールの強度には改良すべき余地がある。
【０００８】
本発明は上記事情に鑑みてなされたものであり、強度を高めたカメラモジュール及び携帯端末を提供することを目的とする。
【課題を解決するための手段】
【０００９】
かかる目的を達成するために請求項１記載のカメラモジュールは、レンズを保持するレンズホルダと、前記レンズホルダを光軸方向に移動可能に保持するホルダと、前記レンズホルダと前記ホルダとの間に介在して前記レンズホルダを光軸方向に移動可能とするレンズ位置変更部材と、前記レンズホルダを前記レンズ位置変更部材に押圧する付勢部材とを有し、前記ホルダは、弾性変形可能な柱部と、前記柱部に設けられて前記レンズホルダとの間に前記付勢部材を挟持固定する爪部とを有するとともに、前記レンズへの光路を開閉するシャッタ等の被取付部材が取り付けられており、前記被取付部材には、前記柱部に当接して前記柱部の変形を防止する補強部が設けられていることを特徴としている。
【００１０】
請求項１記載の発明は、柱部の変形を防止するための補強部を設けたことにより、付勢部材を挟持固定する爪部が付勢部材の端から外れるのを防止することができる。従って、衝撃によってレンズホルダを付勢する付勢部材がカメラモジュールから外れたり、落ちたりすることがない。
【００１１】
請求項２記載のカメラモジュールは、請求項１記載のカメラモジュールにおいて、前記被取付部材を前記ホルダに固定するための取付部が、前記補強部を兼ねていることを特徴としている。
【００１２】
請求項２記載の発明は、被取付部材をホルダに固定するための取付部が、柱部の変形を防止する補強部を兼ねている。従って、補強部を新たに設けることなく柱部の変形を防止することができる。
【００１３】
請求項３記載の携帯端末は、カメラモジュールを本体部に搭載した携帯端末であって、前記カメラモジュールは、レンズを保持するレンズホルダと、前記レンズホルダを光軸方向に移動可能に保持するホルダと、前記レンズホルダと前記ホルダとの間に介在して前記レンズホルダを光軸方向に移動可能とするレンズ位置変更部材と、前記レンズホルダをレンズ位置変更部材に押圧する付勢部材とを有し、前記本体部には、前記柱部に当接して前記柱部の変形を防止する補強部が設けられていることを特徴としている。
【００１４】
請求項３記載の発明は、カメラモジュールを本体部に搭載した携帯端末で、本体部には柱部に当接し柱部の変形を防止する補強部を設けたことを特徴としている。柱部の変形を防止するための補強部を設けたことにより、付勢部材を挟持固定する爪部が付勢部材の端から外れるのを防止することができる。従って、レンズホルダを付勢する付勢部材がカメラモジュールから外れたり、落ちたりすることがない。携帯端末本体部に、柱部の変形を防止するための補強部を設けているためカメラモジュールを携帯端末に搭載するために新たな部材を設ける必要がなく、部品点数を削減することができる。
【発明の効果】
【００１５】
本発明は、柱部の変形を防止するための補強部を設けたことにより、付勢部材と掛合する爪部が付勢部材の端から外れるのを防止し、外力が加わっても付勢部材がカメラモジュールから外れたり、落ちたりすることがない。
【発明を実施するための最良の形態】
【００１６】
次に、添付図面を参照しながら本発明の好適な実施例を説明する。
【実施例１】
【００１７】
まず、図１を参照しながら本実施例のカメラモジュール１の構成を説明する。本実施例のカメラモジュール１は、モータ１１の駆動力によってシャッタ羽根１３を開閉させるシャッタ装置３０と、レンズ６や撮像素子３を備え、被写体像を撮像する撮像装置４０とを有している。被取付部材としてのシャッタ装置３０は、撮像装置４０のホルダ４に取り付けられている。
【００１８】
シャッタ装置３０の詳細な構成について図２を参照しながら説明する。図２は、シャッタ羽根１３を駆動する作動ピン１７と、この作動ピン１７を駆動するモータ１１と、モータ１１の回転制御を行う制御回路１４の周辺部分を拡大して示した図である。図２に示されるようにシャッタ装置３０は、シャッタ基板１２の前面側に設けられた複数枚のシャッタ羽根１３と、シャッタ基板１２に対して、シャッタ羽根１３を設けた側とは反対側（背面側）に設けられたモータ１１と、モータ１１の回転を制御する制御回路１４とを有している。
【００１９】
シャッタ基板１２上に複数枚設けられたシャッタ羽根１３は、それぞれが固定軸１８によって固定軸周りに回動自在に取り付けられている。また、シャッタ羽根１３にはそれぞれカム穴が備えられており、モータ１１のロータ軸１５から伸びた作動ピン１７と係合する。シャッタ羽根１３は、作動ピン１７の回動に伴って、それぞれが独自の軌跡を描いて揺動する。
【００２０】
シャッタ基板１２の背面側に配置しているモータ１１から伸びるロータ軸１５の端部には、アーム部１６が接続されている。またアーム部１６の端部には作動ピン１７が接続されている。作動ピン１７は、シャッタ基板１２側に設けた開口２１を通り、シャッタ基板１２の反対側まで延在している。前面側に出たこの作動ピン１７にシャッタ羽根１３のカム穴が係合している。よって、モータ１１のロータ軸１５が回転した時には作動ピン１７がこれに連動して回動し、さらにシャッタ羽根１３が所定の軌跡で揺動する。図３に、シャッタ装置３０を上から見た図を示す。シャッタ装置３０の上面には、図３に示されるようにシャッタ羽根を回動自在に取り付ける固定軸１８の頭の部分が見えている。また、開口２１からは作動ピン１７の頭の部分と、アーム部１６の一部が見えている。
【００２１】
次に、撮像装置４０側の構成について説明する。図４には、撮像装置４０の構成を分かりやすくするため撮像装置４０からシャッタ装置３０を取り除いた構成が示されている。図４に示されるように基板２の一方の面上にはＣＣＤ等の撮像素子３が搭載されている。撮像素子３を搭載した基板２上には、この撮像素子３を包囲するようにホルダ４が固定してあり、ホルダ４の上部（ホルダ４の基板２との接触部とは反対側）にはレンズホルダ５と係合する内側円筒部４０３が形成されている。
【００２２】
レンズホルダ５の内部には、撮像素子３に被写体像を結像するレンズ６が２枚保持されている。また、レンズホルダ５には、ホルダ４の内側円筒部４０３と係合する円周溝５０１が形成されており、この円周溝５０１に内側円筒部４０３が嵌め込まれる。
【００２３】
また、円筒状のレンズホルダ５の外周には調整部材７が設けられている。調整部材７には、レンズホルダ５に設けたねじ部５０２と螺合するねじ部７０１が設けられている。レンズホルダ５はねじ部同士の螺合によって調整部材７に取り付けられた後に光軸周りに回転させて、レンズホルダ５内に収納したレンズ６の焦点合わせを行う。レンズ６の焦点合わせ終了後は、調整部材７とレンズホルダ５の螺合部分に接着剤を塗布し、レンズホルダ５を調整部材７に固定する。なお、レンズホルダ５に固定された調整部材７は、レンズホルダ５の一部として機能する。また、本実施例ではレンズホルダ５の固定に接着剤を適用しているが、これに限らずレーザ溶着等で固定してもよい。
【００２４】
調整部材７とホルダ４との間には、リング状の回転部材８が挟み込まれ、これらの部材を円形状の付勢部材９によって付勢している。リング状の回転部材８の下面（ホルダ４との接触面側）には、レンズホルダ５を光軸方向に進退させる駆動力を与えるカム面（所定の駆動力をカムによって実現するためのカム輪郭が形成された面）が形成されている。カム面が形成された回転部材８を光軸周りに回転させることによって、この回転部材８上の調整部材７と、調整部材７に固定されたレンズホルダ５とが光軸方向に移動する。また、調整部材７をレンズ６側から基板２側方向に押圧する付勢部材９は、図５に示されるようにリング状の板ばねからなり、付勢部材９を撓ませることで付勢力が働き、調整部材７を押圧する。なお、図５には、図４に示す撮像装置４０を正面から見た正面図が示されている。
【００２５】
また、ホルダ４には、内側円筒部４０３とレンズホルダ５の周囲を取り囲む柱部４０４と、かべ部４０５とが設けられている。これらはカメラモジュール１の強度を高め、外力からレンズ６や撮像素子３などを保護する役目を果たす。
【００２６】
ここで、上述した各部の構成についてより詳細に説明する。まず、ホルダ４の構成について図６〜図８を参照しながら説明する。なお、図６には、ホルダ４を上方から見た上面図が示され、図７には、図６に示すＡＡ’線で切断した切断面の形状が示され、図８には、ホルダ４を基板２側から見た底面図が示されている。まず、図６の上面図に示すように、ホルダ４は、略円形の底面部４０１の中央領域に、レンズ６によって集光された光を撮像素子３に導くための開口部４０２が設けられている。開口部４０２の周囲には、この開口部４０２を取り囲むように内側円筒部４０３が底面部４０１上に立設されている。内側円筒部４０３は、レンズホルダ５の円周溝５０１と係合して、レンズホルダ５をホルダ４に対して摺動可能に保持する。ホルダ４とレンズホルダ５との摺動時の摺接面は、内側円筒部４０３の外周面４０３ａと円周溝５０１の内周面５０１ａとである。摺接面が外周面４０３ａ側にあることにより、レンズホルダ５が移動して摺接面上に擦れくず等のごみが発生した場合でも、そのごみはレンズホルダ５の内部に侵入することがなく光路の中には入らないようになっている。
【００２７】
また、ホルダ４の周辺部には、底面部４０１を基板２から所定の距離、離間させるための脚部を備えた柱部４０４と、柱部４０４への外力の集中を防ぎ、カメラモジュール１の強度を高めるためのかべ部４０５とが設けられている。柱部４０４は、図６に示すように底面部４０１の周辺部分（底面部４０１の中心からほぼ等距離の位置）に３箇所設けられている。３箇所に設けた柱部４０４は、それぞれの円周間隔がほぼ等間隔となるように配置されている。これは基板２上に立設したホルダ４の安定性を高めるためである。つまり、本実施例では回転部材８等で外周が大きくなっており、撮像素子３の周囲を囲む包囲部材４０９のみでは安定性が悪く柱部４０４を設けている。（特に本実施例では、図４に示すように回転部材８がホルダ４の外側に突出しているので、この回転部材８を乗せたホルダ４の安定性を得るために３箇所で基板２に固定している。）
【００２８】
柱部４０４の先端部分（基板２とは反対側）には図７に示されるように爪部４０６が設けられている。この爪部４０６に付勢部材９の端部を掛け、下から調整部材７に設けた第１突起部７０３で押し上げることで板バネからなる付勢部材９がたわみ、調整部材７とこの調整部材７の下に設けた回転部材８とを下（基板２側）に押圧する。
【００２９】
柱部４０４、かべ部４０５を設けた底面部４０１の周辺部よりも少し内側（中央側）に入った位置には、３つの台座部材４０７が配置されている。この台座部材４０７も柱部４０４と同様に、底面部４０１の中心からほぼ等距離にあり、それぞれの円周間隔がほぼ等間隔となるように配置されている。台座部材４０７は、底面部４０１よりも一段高くなった突起部であり、この台座部材４０７を回転部材８のカム面に接触させる。従って、回転部材８との接触面積を小さくして摩擦抵抗を少なくし、回転部材８を回転しやすくすることができる。また、底面部４０１よりも一段高くなった台座部材４０７を設けたことで、回転部材８の下面に設けたカム面の凹凸をレンズホルダ５に接続された調整部材７に効率的に伝えることができる。
【００３０】
次に、図８を参照しながらホルダ４の基板側（下面側）の構成について説明する。図８に示されるようにホルダ４の基板側には、基板２上に設けた撮像素子３を取り囲む包囲部材４０９が設けられている。この包囲部材４０９で囲まれた領域内には、撮像素子３を配置する撮像素子配置スペースと、レンズ６によって集光された光にフィルタ処理を施すフィルタ配置スペースとが設けられている。図４に示されるようにフィルタ１０は、レンズ６と撮像素子３との間に配置される。
【００３１】
また、ホルダ４の下面側には、３つの柱部４０４の脚部が設けられている。図８に示されるように３つの脚部は、それぞれの円周間隔がほぼ等間隔となるように配置されている。また、脚部の前面（底面部４０１の中心方向）には、開口４０８が形成されている。この開口からは柱部４０４の爪部４０６が見える。この開口は爪部４０６を成形するときにできるものである。
【００３２】
次に、図９〜図１１を参照しながら回転部材８の形状について説明する。なお、図９（Ａ）には、回転部材８の上面図が示され、図９（Ｂ）には、回転部材８の下面図が示されている。また、図１０及び図１１には回転部材８に形成されたカム面の形状が示されている。図９（Ａ）及び（Ｂ）に示されるように回転部材８は、円の中央部分が切り抜かれたリング状部材８０１と、リング状部材８０１に取り付けられたレバー部材８０２とからなる。リング状部材８０１には、ホルダ４と接する下面側にカム面（所定の駆動力をカムによって実現するためのカム輪郭が形成された面）が形成されている。
【００３３】
図９（Ｂ）に示されるようにこのカム面は、回転部材８をカメラモジュール１に取り付けた際に光軸方向の厚みが異なる３つの面からなる。図１０に示されるように、最も厚みのある第１の面８０３と、最も厚みのない第２の面８０４と、第１の面８０３と第２の面８０４とをつなぐ傾斜面の第３の面８０５とからなる。図８に回転部材８を半分に切断し、その断面を側方から見た断面図を示す。
【００３４】
回転部材８は、ホルダ４に設けた３つの台座部材４０７が、回転部材８のいつも同じ面で接触するように形成されている。すなわち、１つの台座部材４０７が接触している面が第１の面８０３である時に、他の台座部材４０７に接触している面が第２の面８０４、または第３の面８０５であることはなく、３つの台座部材４０７に常に同じ面が接触する。このような形状のカム面をホルダ４の台座部材４０７と調整部材７との間に配置する。第１の面８０３が台座部材４０７と調整部材７との間に挟まれている時には、調整部材７と調整部材７に固定されたレンズホルダ５が光軸方向に前進（基板２から離れる方向）し、接写位置にレンズ６が配置される。また、レバー部材８０２により回転部材８を回転させ、第２の面８０４が台座部材４０７と調整部材７との間に挟み込まれている時には、調整部材７と調整部材７に固定されたレンズホルダ５が光軸方向に後退（基板２に近づく方向）し、通常撮影位置にレンズ６が配置される。
【００３５】
なお、本実施例では、回転部材８としてＰＯＭ（ＰｏｌｙＯｘｙＭｅｔｈｙｌｅｎｅ：ポリオキシメチレン）などのすべりやすい物質を適用しているが、特にこの物質に限定されるものではない。また、本実施例では回転部材８の下面側（基板側）にカム面を設けているが、カム面を設ける面は回転部材８の上側の面（調整部材７と接する面）側に設けるものであってもよい。
【００３６】
次に、図１２、図１３を参照しながら調整部材７の構成について説明する。なお、図１２（Ａ）には、調整部材７の上面（付勢部材９と接触する面側）の構成が示され、図１２（Ｂ）には、調整部材７の裏面（回転部材８と接触する面側）の構成が示されている。また、図１３には、調整部材７を側方から見た側面図が示されている。図１２（Ａ）、及び（Ｂ）に示されるように調整部材７もリング状をしており、リング状の調整部材７の側面には回転止め７０２が設けられている。この回転止め７０２は、回転部材８を回転させることにより、この回転部材８の上に乗った調整部材７が回転してしまわないためのストッパーの役割を果たしている。両脇に設けたかべ部４０５に回転止め７０２が接触することで、調整部材７が回転してしまわないように固定している。
【００３７】
また、調整部材７の回転止め７０２を設けた側面とは反対側の側面（すなわち、レンズホルダ５との接触面）には、レンズホルダ５のねじ部５０２と螺合するねじ部７０１が形成されている。また、調整部材７の外周の回転止め７０２を設けた位置と反対側の外周には、組立時のすべり止め部７０５が形成されている。レンズホルダ５と調整部材７のねじ部を螺合させ、レンズホルダ５を調整部材７に取り付ける。取り付け後のレンズホルダ５は、光軸方向に回転させ、レンズ６の焦点合わせ（初期設定）が行われる。なお、焦点合わせ後には、ねじの螺合部に接着剤が塗布され、レンズホルダ５は調整部材７に固定される。この後、調整部材７はレンズホルダ５の一部として機能する。
【００３８】
また、図１３に示されるように調整部材７には、上下両面に突起部を有している。上面（付勢部材９と接触する面側）に設けられた第１突起部７０３は、図１２（Ａ）、または図１３に示されるように３箇所設けられており、付勢部材９を下側から押し上げる役割を果たす。付勢部材９を上から押圧するホルダ４の爪部４０６と、下側から押し上げる第１突起部７０３とは、付勢部材９の上下両面の同じ位置を押圧しているのでなはなく、押圧する位置を多少ずらすことで付勢部材９を撓ませている。
【００３９】
また、図１２（Ａ）、または図１３に示す調整部材７の下面（回転部材８と接する面）側に設けられた第２突起部７０４は、第１突起部７０３と同様に３箇所に設けられており、回転部材８との接触面積を少なくして、回転部材８との間に生じる摩擦力を低減させる役割を果たす。
【００４０】
ここで、レンズホルダ５の位置合わせと、付勢部材９による調整部材７の付勢についてより詳細に説明する。レンズホルダ５にはレンズ６が取り付けられているが、レンズ６を保持したレンズホルダ５をカメラモジュール１にただ取り付けるだけでは製造時の誤差によってレンズ６の焦点を正確に合わせることができない。このため本実施例では、調整部材７とレンズホルダ５との接合面にねじ部（７０１，５０２）を設けて、レンズホルダ５を光軸方向に移動可能なように調整部材７に接続する。そして、レンズホルダ５を光軸方向に移動させ、レンズ６の焦点合わせを行う。焦点合わせ終了後にはねじ部（７０１，５０２）の螺合部分に接着剤を塗布してレンズホルダ５を調整部材７に固定する。また、調整部材７と回転部材８とホルダ４とが光軸方向に重ね合わされたレンズホルダ５の外周部分では、付勢部材９によりこれらの部材を下（基板２側）に押圧する。調整部材７にレンズホルダ５を取り付け、レンズ６の焦点合わせを行うためにレンズホルダ５を移動させるとき、レンズホルダ５を基板２側に押し回しする。付勢部材９による押圧方向は、この押す方向（光軸方向の像側）と同一の方向である。従って、焦点を合わせた後に付勢部材９が押圧する方向が、焦点合わせのときの光軸方向へ押す方向と同一の方向となり、焦点合わせで合わせた焦点にずれを生じさせることがない。
【００４１】
このようにして製造されたカメラモジュール１は、回転部材８のレバー部材８０２を回すことで、レンズ６の位置を変更し焦点距離を切り換えることができる。回転部材８の第１の面８０３が台座部材４０７と調整部材７との間に挟み込まれる時には、調整部材７と調整部材７に固定されたレンズホルダ５を光軸方向に前進（基板２から離れる方向）させ、接写位置にレンズ６を配置することができる。また、レバー部材８０２により回転部材８を回転させ、第２の面８０４を台座部材４０７と調整部材７との間に挟み込むことで、調整部材７と調整部材７に固定されたレンズホルダ５を光軸方向に後退（基板２に近づく方向）させ、通常撮影位置にレンズ６を配置することができる。
【００４２】
次に、シャッタ装置３０と撮像装置４０との接続について説明する。被取付部材としてのシャッタ装置３０は、撮像装置４０のホルダ４に取り付けられている。図１に示されるようにホルダ４の周囲には、リング状のリブ２０が取り付けられている（リブ２０の形状については、図３参照）。リブ２０は、被取付部材としてのシャッタ装置３０をホルダ４に取り付ける取付部であって、柱部４０４の変形を防止する補強部として機能する。リブ２０は、図１に示されるように柱部４０４の側面に沿って立設している。柱部４０４の外周に固定されたリブ２０を、シャッタ基板１２に設けた溝にはめ込み固定することで、撮像装置４０にシャッタ装置３０が接続される。リブ２０の先端部分は、図１に示されるように略コ字形状に折り返されている。このため、シャッタ基板１２の溝に挿入したリブ２０が溝から容易には抜け出さないような構造になっている。
【００４３】
また、付勢部材９は、端部を柱部４０４の爪部４０６に掛合して調整部材７を付勢している。しかしながら、カメラモジュール１が落下などによる衝撃を受けた場合、柱部４０４が変形して、爪部４０６と付勢部材９との掛合が外れてしまう恐れがある。そこで、柱部４０４の爪部４０６とは反対側にリブ２０を当接させることで、柱部４０４が変形して爪部４０６と付勢部材９との掛合が外れないようにしている。なお、本実施例では、被取付部材としてのシャッタ装置３０をホルダ４に取り付ける時の取付部（リブ２０）に補強部の機能を持たせているが、取付部とは別に柱部４０４の変形を防止する補強部を設けるものであってもよい。
【００４４】
また、本実施例では、リブ２０によりシャッタ装置３０と撮像装置４０とを接続しているが、接続方法はこれだけに限定されるものではない。例えば、図１４に示されるように被取付部材としての携帯電話機５０の本体側に、撮像装置４０と接続するための嵌め込み部材５１を設けて、この嵌め込み部材５１に撮像装置４０のホルダ４を嵌め込むものであってもよい。嵌め込み部材５１は、被取付部材としての携帯電話機５０をホルダ４に取り付ける取付部の役割を果たすと共に、柱部４０４の変形を防止する補強部として機能する。すなわち、図１４に示されるように嵌め込まれた撮像装置４０の柱部４０４と嵌め込み部材５１とが当接して、柱部４０４の爪部４０６が外側に反り返り、付勢部材９が爪部４０６から外れるのを防止している。なお、本実施例でも被取付部材としての携帯電話機５０をホルダ４に取り付ける時の取付部（嵌め込み部材５１）に補強部の機能を持たせているが、取付部とは別に柱部４０４の変形を防止する補強部を設けるものであってもよい。
【００４５】
なお、上述した実施例は本発明の好適な実施例である。但し、これに限定されるものではなく、本発明の要旨を逸脱しない範囲内において種々変形実施可能である。例えば、上述した実施例では、回転部材８に形成したカム面を第１の面８０３と、第２の面８０４の２つの面としているが、光軸方向に高さの異なる面を複数設けてレンズの焦点距離をより細かく調整できるようにしてもよい。
【図面の簡単な説明】
【００４６】
【図１】カメラモジュール１の構成を示す断面図である。
【図２】シャッタ装置３０の詳細な構成を示す図である。
【図３】シャッタ装置３０を上から見た上面図である。
【図４】撮像装置４０の構成を示す断面図である。
【図５】撮像装置４０を正面から見た正面図である。
【図６】ホルダ４を上から見た上面図である。
【図７】図３に示すＡＡ’線で切断した切断面の形状を示す断面図である。
【図８】ホルダ４を下から見た底面図である。
【図９】（Ａ）は、回転部材８を上から見た上面図であり、（Ｂ）は、回転部材８を下から見た下面図である。
【図１０】回転部材８に形成されたカム面の形状を示す図である。
【図１１】回転部材８に形成されたカム面の形状を示す図である。
【図１２】（Ａ）は、調整部材７を上から見た上面図であり、（Ｂ）は、調整部材７を下から見た下面図である。
【図１３】調整部材７を側方から見た側面図である。
【図１４】携帯端末の筐体への撮像装置４０の固定方法を示す図である。
【図１５】従来のカメラモジュールの構成を示す断面図である。
【符号の説明】
【００４７】
１  カメラモジュール              ２  基板
３  撮像素子                      ４ホルダ
５  レンズホルダ                  ６  レンズ
７  調整部材                      ８  回転部材
９  付勢部材                      １０  フィルタ
１１  モータ                      １２  シャッタ基板
１３  シャッタ羽根                １４  制御回路
１５  ロータ軸                    １６  アーム部
１７  作動ピン                    １８  固定軸
２０  リブ                        ２１  開口
３０  シャッタ装置                ５０  携帯電話機
５１  嵌め込み部材                ４０１  底面部
４０２  開口部                    ４０３  内側円筒部
４０３ａ  外周面                  ４０４  柱部
４０５  かべ部                    ４０６  爪部
４０７  台座部材                  ４０８  開口
４０９  包囲部材                  ５０１  円周溝
５０１ａ  内周面                  ５０２  ねじ部
７０１  ねじ部                    ７０２  回転止め
７０３  第１突起部                ７０４  第２突起部
７０５  すべり止め部              ８０１  リング状部材
８０２  レバー部材                ８０３  第１の面
８０４  第２の面                  ８０５  第３の面
【図１】
2005195903.tif 000003
【図２】
2005195903.tif 000004
【図３】
2005195903.tif 000005
【図４】
2005195903.tif 000006
【図５】
2005195903.tif 000007
【図６】
2005195903.tif 000008
【図７】
2005195903.tif 000009
【図８】
2005195903.tif 000010
【図９】
2005195903.tif 000011
【図１０】
2005195903.tif 000012
【図１１】
2005195903.tif 000013
【図１２】
2005195903.tif 000014
【図１３】
2005195903.tif 000015
【図１４】
2005195903.tif 000016
【図１５】
2005195903.tif 000017